(57)【要約】【課題】データをＰＣ上のアプリケーションで管理、確認する際にデータが変更されてしまうような状況を回避すると共に、使用者にとって取り扱いがし易いようにデータを管理することができるデータ処理装置を提供する。【解決手段】画像データに対し、画像データの属性に応じて読取専用属性を付加するか否かの設定をステップＳ２０７〜ステップＳ２２１において行う。設定した内容に応じて、画像データを記録する際に、自動で読取専用属性を付加する。これにより、使用者は取り扱いがし易いように画像データを管理することができる。また、画像データをＰＣ上のアプリケーションで管理、確認する際にデータが変更されてしまうような状況を回避することができる。【選択図】図２
2008193259.tif 000002
【特許請求の範囲】
【請求項１】
画像データに読取専用属性を付加する付加手段を備えた画像処理装置であって、
前記付加手段は、画像データの属性に応じて、前記読取専用属性を付加することを特徴とする画像処理装置。
【請求項２】
前記読取専用属性を付加するか否かを決定する画像データの前記属性を設定する第１の設定手段を備えたことを特徴とする請求項１に記載の画像処理装置。
【請求項３】
撮像手段により撮像された画像データを記憶媒体に記録する記録手段を備え、
前記記録手段が前記撮像手段により撮像された画像データを前記記憶媒体に記録する際に、前記付加手段が前記読取専用属性を付加するようにしたことを特徴とする請求項１又は２に記載の画像処理装置。
【請求項４】
画像データに読取専用属性を付加する付加手段と、画像データを転送する転送手段とを備えた画像処理装置であって、
前記付加手段は、前記転送手段が画像データを転送する際に、前記読取専用属性を付加することを特徴とする画像処理装置。
【請求項５】
前記転送手段が画像データを転送する際に前記付加手段が前記読取専用属性を付加するか否かを設定する第２の設定手段を備えたことを特徴とする請求項４に記載の画像処理装置。
【請求項６】
画像データに読取専用属性を付加する付加手段と、撮像手段により撮像された画像データを記憶媒体に記録する記録手段と、前記記録手段により記録された画像データを転送する転送手段とを備えた画像処理装置であって、
前記記録手段が前記撮像手段により撮像された画像データを前記記憶媒体に記録する際に前記付加手段が前記読取専用属性を付加するか否かを設定する第３の設定手段と、
前記転送手段が前記記録手段により記録された画像データを転送する際に前記付加手段が前記読取専用属性を付加するか否かを設定する第４の設定手段とを備え、
前記付加手段は、前記第３の設定手段及び前記第４の設定手段による設定に応じて、前記読取専用属性を付加することを特徴とする画像処理装置。
【請求項７】
画像データに読取専用属性を付加する付加手段を備えた画像処理装置の制御方法であって、
画像データの属性に応じて、前記付加手段により前記読取専用属性を付加するステップを有することを特徴とする画像処理装置の制御方法。
【請求項８】
画像データに読取専用属性を付加する付加手段と、画像データを転送する転送手段とを備えた画像処理装置の制御方法であって、
前記転送手段が画像データを転送する際に、前記付加手段により前記読取専用属性を付加するステップを有することを特徴とする画像処理装置の制御方法。
【請求項９】
画像データに読取専用属性を付加する付加手段と、撮像手段により撮像された画像データを記憶媒体に記録する記録手段と、前記記録手段により記録された画像データを転送する転送手段とを備えた画像処理装置の制御方法であって、
前記記録手段が前記撮像手段により撮像された画像データを前記記憶媒体に記録する際に前記付加手段が前記読取専用属性を付加するか否かを設定するとともに、前記転送手段が前記記録手段により記録された画像データを転送する際に前記付加手段が前記読取専用属性を付加するか否かを設定するステップと、
前記ステップによる設定に応じて、前記付加手段により前記読取専用属性を付加するステップとを有することを特徴とする画像処理装置の制御方法。
【請求項１０】
画像処理装置を制御するためのコンピュータプログラムであって、
画像データの属性に応じて、画像データに読取専用属性を付加するステップをコンピュータに実行させることを特徴とするコンピュータプログラム。
【請求項１１】
画像処理装置を制御するためのコンピュータプログラムであって、
画像データを転送する際に、画像データに読取専用属性を付加するステップをコンピュータに実行させることを特徴とするコンピュータプログラム。
【請求項１２】
画像処理装置を制御するためのコンピュータプログラムであって、
撮像手段により撮像された画像データを記録する際に画像データに読取専用属性を付加するか否かを設定するとともに、記録手段により記録された画像データを転送する際に画像データに読取専用属性を付加するか否かを設定するステップと、
前記ステップによる設定に応じて、画像データに読取専用属性を付加するステップとをコンピュータに実行させることを特徴とするコンピュータプログラム。
【請求項１３】
請求項１０〜１２のいずれか１項に記載のコンピュータプログラムを記録したコンピュータ読取可能な記憶媒体。
【発明の詳細な説明】
【技術分野】
【０００１】
本発明は、静止画像や動画像を記録又は再生するデジタルカメラ等の画像処理装置に関する。
【背景技術】
【０００２】
従来、ＣＣＤやＣＭＯＳ等の撮像素子で撮像した画像データを記録及び再生するカメラ等の画像処理装置が知られている。
【０００３】
この種の画像処理装置で作成された画像データを、パーソナルコンピュータ（ＰＣ）等の再生機器で再生する際、再生するアプリケーションによっては、例えば縦横のオリエンテーション等に起因して、自動で画像データを作成し直してしまう場合がある。この場合、ＰＣ上に想定外の画像が再生されてしまう。
【０００４】
そのようなアプリケーションで再生しても、画像が変更されてしまうことがないように、画像データを作成する際に、自動で画像データの属性を読取専用にする方法が提案されている。
【０００５】
例えば特許文献１では、記録媒体に記録された各コンテンツに関し、再記録可能タイプのコンテンツであるか、再記録不能タイプのコンテンツであるかを判別し、コンテンツの消去要求があった際、上記判別結果に応じた消去処理制御を行う技術が開示されている。この技術では、ディスク等から複写記録された再記録可能タイプのコンテンツを優先的に消去して、マイクロホン又はカメラ等から得られたデータによるオリジナルなコンテンツである再記録不能タイプのコンテンツはなるべく消去しないようにすることができる。
【０００６】
【特許文献１】特開２００１−１７５５１７号公報
【発明の開示】
【発明が解決しようとする課題】
【０００７】
しかしながら、カメラで撮影した全ての画像データに対して読み取り専用の属性である読取専用属性を記録しておくと、削除をする際、読取専用属性を解除してからでなくては削除できないため、管理上取り扱いが不便な点があった。
【０００８】
そこで、本発明は、画像データをＰＣ上のアプリケーションで管理、確認する際に画像データが変更されてしまうような状況を回避すると共に、画像データの管理に関する取り扱い性に優れた画像処理装置を提供することを目的とする。
【課題を解決するための手段】
【０００９】
本発明の画像処理装置は、画像データに読取専用属性を付加する付加手段を備えた画像処理装置であって、前記付加手段は、画像データの属性に応じて、前記読取専用属性を付加することを特徴とする。
また、本発明の画像処理装置は、画像データに読取専用属性を付加する付加手段と、画像データを転送する転送手段とを備えた画像処理装置であって、前記付加手段は、前記転送手段が画像データを転送する際に、前記読取専用属性を付加することを特徴とする。
また、本発明の画像処理装置は、画像データに読取専用属性を付加する付加手段と、撮像手段により撮像された画像データを記憶媒体に記録する記録手段と、前記記録手段により記録された画像データを転送する転送手段とを備えた画像処理装置であって、前記記録手段が前記撮像手段により撮像された画像データを前記記憶媒体に記録する際に前記付加手段が前記読取専用属性を付加するか否かを設定する第３の設定手段と、前記転送手段が前記記録手段により記録された画像データを転送する際に前記付加手段が前記読取専用属性を付加するか否かを設定する第４の設定手段とを備え、前記付加手段は、前記第３の設定手段及び前記第４の設定手段による設定に応じて、前記読取専用属性を付加することを特徴とする。
また、本発明の画像処理装置の制御方法は、画像データに読取専用属性を付加する付加手段を備えた画像処理装置の制御方法であって、画像データの属性に応じて、前記付加手段により前記読取専用属性を付加するステップを有することを特徴とする。
また、本発明の画像処理装置の制御方法は、画像データに読取専用属性を付加する付加手段と、画像データを転送する転送手段とを備えた画像処理装置の制御方法であって、前記転送手段が画像データを転送する際に、前記付加手段により前記読取専用属性を付加するステップを有することを特徴とする。
また、本発明の画像処理装置の制御方法は、画像データに読取専用属性を付加する付加手段と、撮像手段により撮像された画像データを記憶媒体に記録する記録手段と、前記記録手段により記録された画像データを転送する転送手段とを備えた画像処理装置の制御方法であって、前記記録手段が前記撮像手段により撮像された画像データを前記記憶媒体に記録する際に前記付加手段が前記読取専用属性を付加するか否かを設定するとともに、前記転送手段が前記記録手段により記録された画像データを転送する際に前記付加手段が前記読取専用属性を付加するか否かを設定するステップと、前記ステップによる設定に応じて、前記付加手段により前記読取専用属性を付加するステップとを有することを特徴とする。
また、本発明のコンピュータプログラムは、画像処理装置を制御するためのコンピュータプログラムであって、画像データの属性に応じて、画像データに読取専用属性を付加するステップをコンピュータに実行させることを特徴とする。
また、本発明のコンピュータプログラムは、画像処理装置を制御するためのコンピュータプログラムであって、画像データを転送する際に、画像データに読取専用属性を付加するステップをコンピュータに実行させることを特徴とする。
また、本発明のコンピュータプログラムは、画像処理装置を制御するためのコンピュータプログラムであって、撮像手段により撮像された画像データを記録する際に画像データに読取専用属性を付加するか否かを設定するとともに、記録手段により記録された画像データを転送する際に画像データに読取専用属性を付加するか否かを設定するステップと、前記ステップによる設定に応じて、画像データに読取専用属性を付加するステップとをコンピュータに実行させることを特徴とする。
また、本発明の記憶媒体は、上記記載のコンピュータプログラムを記録したことを特徴とする。
【発明の効果】
【００１０】
本発明によれば、画像データの属性に応じて、画像データに読取専用属性を付加するか否かを決定するようにした。また、適切なタイミングで画像データに読取専用属性を付加するようにし、更にはそのタイミングを任意に設定できるようにした。これにより、画像データをＰＣ上のアプリケーションで管理、確認する際に画像データが変更されてしまうような状況を回避可能であると共に、画像データの管理に関する取り扱い性に優れた画像処理装置を提供することができる。
【発明を実施するための最良の形態】
【００１１】
（第１の実施の形態）
以下、本発明の実施の形態を図面に基づいて説明する。図１は、本発明の実施形態に係る撮像装置（画像処理装置）の全体構成を示すブロック図である。
【００１２】
図１において、１００は撮像装置である。１２は撮像素子１４への露光量を制御するためのシャッター、１４は光学像を電気信号に変換する撮像手段である撮像素子である。
【００１３】
撮影レンズ３１０に入射した光線は、一眼レフ方式によって、絞り３１２、レンズ側のレンズマウント３０６、本体側のレンズマウント１０６、ミラー１３０、及びシャッター１２を介して撮像素子１４に導かれ、光学像として撮像素子１４上に結像する。
【００１４】
１６はＡ／Ｄ変換器であり、撮像素子１４からのアナログ信号出力をディジタル信号に変換する。１８はタイミング発生回路であり、撮像素子１４、Ａ／Ｄ変換器１６、及びＤ／Ａ変換器２６にクロック信号や制御信号を供給する。タイミング発生回路１８は、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。
【００１６】
また、画像処理回路２０は、必要に応じて、撮像した画像データを用いて所定の演算処理を行う。この場合、システム制御回路５０は、画像処理回路２０から得られた演算結果に基づいて、シャッター制御部４０、及び測距部４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。
【００１７】
更に、画像処理回路２０は、撮像した画像データを用いて別途所定の演算処理を行う。この場合、システム制御回路５０は、画像処理回路２０から得られた演算結果に基づいてＴＴＬ方式のＡＷＢ（オートホワイトバランス）処理を行う。
【００１８】
なお、本実施形態においては、測距部４２及び測光部４６を専用に備える構成としたため、測距部４２及び測光部４６を用いてＡＦ処理、ＡＥ処理、及びＥＦ処理の各処理を行うようにすることができる。この場合、上記画像処理回路２０を用いたＡＦ処理、ＡＥ処理、及びＥＦ処理の各処理を行わないようにしてもよい。
或いは、測距部４２及び測光部４６を用いてＡＦ処理、ＡＥ処理、及びＥＦ処理の各処理を行い、更に、上記画像処理回路２０を用いたＡＦ処理、ＡＥ処理、及びＥＦ処理の各処理を行うような構成としてもよい。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、及び圧縮伸長回路３２を制御する。
【００２０】
Ａ／Ｄ変換器１６からのデータは、画像処理回路２０及びメモリ制御回路２２を介して、或いはメモリ制御回路２２のみを介して直接、画像表示メモリ２４或いはメモリ３０に書き込まれる。
【００２１】
２４は画像表示メモリである。２６はＤ／Ａ変換器であり、２８はＴＦＴ又はＬＣＤ等から成る画像表示部である。画像表示メモリ２４に書き込まれた表示用の画像データは、Ｄ／Ａ変換器２６を介して画像表示部２８により表示される。撮像した画像データを画像表示部２８に逐次表示すれば、電子ファインダ機能を実現することが可能である。
【００２２】
また、画像表示部２８は、システム制御回路５０の指示により任意に表示をＯＮ／ＯＦＦすることが可能であり、表示をＯＦＦにした場合には撮像装置１００の電力消費を大幅に低減することができる。また、画像表示部２８は、操作部７０の操作によって、記録画質モードや、ホワイトバランスモード等のメニューを表示したり、表示している画像の情報を表示したり、記録或いは再生可能な記憶媒体を表示したりすることができる。
【００２３】
３０は撮影した静止画像や動画像のデータを格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量に、画像データをメモリ３０に書き込むことが可能となる。また、メモリ３０はシステム制御回路５０の作業領域としても使用することが可能である。
【００２４】
３２は圧縮伸長回路であり、適応離散コサイン変換（ＡＤＣＴ）等により画像データを圧縮又は伸長する。圧縮伸長回路３２は、メモリ３０に格納された画像データを読み込んで、圧縮処理或いは伸長処理を行い、処理を終えたデータをメモリ３０に書き込む。
【００２５】
４０はシャッター制御部であり、測光部４６からの測光情報に基づいて、絞り３１２を制御する絞り制御部３４０と連携しながら、シャッター１２を制御する。
【００２６】
４２はＡＦ処理を行うための測距部である。測距部４２は、撮影レンズ３１０に入射した光線を、一眼レフ方式によって、絞り３１２、レンズマウント３０６及び１０６、ミラー１３０、そして不図示の測距用サブミラーを介して入射させ、光学像として結像された画像の合焦状態を測定する。
【００２７】
４６はＡＥ処理を行うための測光部である。測光部４６は、撮影レンズ３１０に入射した光線を、一眼レフ方式によって、絞り３１２、レンズマウント３０６及び１０６、ミラー１３０及び１３２、そして不図示の測光用レンズを介して入射させ、光学像として結像された画像の露出状態を測定する。
【００２８】
本実施形態の撮像装置１００では、上述したように撮像素子１４によって撮像した画像データを画像処理回路２０によって演算し、演算結果に基づきビデオＴＴＬ方式の露出制御及びＡＦ制御をすることが可能である。この場合、システム制御回路５０は、当該演算結果に基き、シャッター制御部４０、絞り制御部３４０、及び測距制御部３４２に対して制御を行う。
【００２９】
また上述したように、本実施形態の撮像装置１００では、測距部４２による測定結果と、撮像素子１４によって撮像した画像データを画像処理回路２０によって演算した演算結果とを共に用いてＡＦ制御を行う構成とすることもできる。
また上述したように、本実施形態の撮像装置１００では、測光部４６による測定結果と、撮像素子１４によって撮像した画像データを画像処理回路２０によって演算した演算結果とを共に用いて露出制御を行う構成とすることもできる。
【００３０】
５０はシステム制御回路であり、撮像装置１００全体を制御する。５２はメモリであり、システム制御回路５０の動作用の定数や、変数、プログラム等を記憶する。
【００３１】
５４は液晶表示装置等の表示部であり、システム制御回路５０におけるプログラムの実行に応じて、文字、画像等を用いて動作状態やメッセージ等を表示する。表示部５４は、撮像装置１００の操作部近辺の視認し易い位置に、1又は複数個設置され、例えばＬＣＤ、ＬＥＤ又はランプ等の組み合わせにより構成される。表示部５４の一部の機能は、光学ファインダ１０４内に設置されている。
【００３２】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、時計用電池残量表示、電池残量表示、エラー表示、複数桁の数字による情報表示、記憶媒体２００及び２１０の着脱状態表示、レンズユニット３００の着脱状態表示、通信Ｉ／Ｆ動作表示、日付・時刻表示及び外部コンピュータとの接続状態を示す表示等がある。
【００３３】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記憶媒体書き込み動作表示等がある。
【００３４】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記憶媒体書き込み動作表示、マクロ撮影設定通知表示、及び二次電池充電状態表示等がある。
【００３５】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００３６】
６２、６４、６６、６８及び７０は、システム制御回路５０の各種の動作指示を入力するための操作手段であり、スイッチやダイアル、タッチパネル、視線検知によるポインティング、音声認識装置等の組み合わせで構成される。以下、これらの操作手段の具体的な説明を行う。
【００３７】
６２はシャッタースイッチＳＷ１であり、不図示のシャッターボタンの操作途中でＯＮとなって、シャッタースイッチＳＷ１（６２）は、ＡＦ処理、ＡＥ処理、ＡＷＢ処理、及びＥＦ処理等の動作開始を指示する。
【００３８】
６４はシャッタースイッチＳＷ２であり、不図示のシャッターボタンの操作完了でＯＮとなって、撮影に係る一連の動作開始を指示する。具体的には、まず撮像素子１４から読み出した信号をＡ／Ｄ変換器１６、及びメモリ制御回路２２を介してメモリ３０に画像データを書き込む露光処理を指示する。次に、画像処理回路２０やメモリ制御回路２２での演算を用いた現像処理を指示する。そして、メモリ３０から画像データを読み出し、圧縮伸長回路３２で圧縮を行い、記憶媒体２００或いは２１０に画像データを書き込む記録処理を指示する。
【００３９】
６６は再生スイッチであり、撮影モード状態において、撮影した画像をメモリ３０、記憶媒体２００或いは２１０から読み出して画像表示部２８によって表示する再生動作の開始を指示する。
【００４０】
６８は単写／連写スイッチであり、シャッタースイッチＳＷ２を押した場合に１コマの撮影を行って待機状態とする単写モードと、シャッタースイッチＳＷ２を押している間は連続して撮影を行い続ける連写モードとを設定するためのスイッチである。
【００４１】
７０は各種ボタンやタッチパネル等からなる操作部である。操作部７０は、具体的には、文字の大きさを選択するボタン、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。
【００４２】
操作部７０は、更に、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを備えている。
【００４３】
更に、操作部７０は、再生モード、マルチ画面再生モード、又はＰＣ接続モード等の各機能モードを設定することができる再生スイッチを備えている。また、操作部７０は、シャッタースイッチＳＷ１を押したならばオートフォーカス動作を開始し一旦合焦したならばその合焦状態を保ち続けるワンショットＡＦモードと、シャッタースイッチＳＷ１を押している間は連続してオートフォーカス動作を続けるサーボＡＦモードと、を設定することができるＡＦモード設定スイッチ等も備えている。
【００４４】
なお、上記メニュー移動＋（プラス）ボタン及びメニュー移動−（マイナス）ボタン等の各機能を、例えば回転ダイアルスイッチや十字スイッチや８方向スイッチで構成することによって、より軽快に数値や機能を選択することが可能となる。
【００４５】
７２は電源スイッチであり、撮像装置１００の電源ＯＮ／ＯＦＦの各モードを切り替えて、設定することができる。また、電源スイッチ７２は、撮像装置１００に接続されたレンズユニット３００、不図示の外部ストロボ、記憶媒体２００或いは２１０等の各種付属装置の電源ＯＮ／ＯＦＦの設定も合わせて切り替えて、設定することができる。
【００４６】
８０は電源制御部であり、不図示の電池検出回路、ＤＣ−ＤＣコンバータ、及び通電するブロックを切り替えるスイッチ回路等により構成されている。電源制御部８０は、電池の装着の有無や、電池の種類、電池残量の検出を行い、検出結果及びシステム制御回路５０の指示に基づいてＤＣ−ＤＣコンバータを制御し、必要な電圧を必要な期間、記憶媒体を含む各部へ供給する。
【００４７】
８２及び８４はコネクタであり、電源制御部８０と電源８６とを接続する。８６は電源であり、例えばアルカリ電池やリチウム電池等の一次電池やＮｉＣｄ電池やＮｉＭＨ電池、Ｌｉ電池等の二次電池、ＡＣアダプター等からなる。
【００４８】
９０及び９４はメモリカードやハードディスク等の記憶媒体とのインターフェースである。９２及び９６はメモリカードやハードディスク等の記憶媒体と接続を行う本体側のコネクタである。
【００４９】
９８は記憶媒体着脱検知部であり、コネクタ９２或いは９６に記憶媒体２００或いは２１０が装着されているか否かを検知する。
【００５０】
なお、本実施形態では、記憶媒体を取り付けるインターフェース及びコネクタを２系統持つものとして説明しているが、記憶媒体を取り付けるインターフェース及びコネクタは、複数の系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００５１】
９７は転送専用のインターフェースであり、ＩＥＥＥ１３９４通信、ＵＳＢ通信、又は無線通信等の通信手段を使用して、外部の他のコンピュータやプリンタ等の周辺機器との間で画像データや画像データに付属した管理情報を転送し合うことができる。
【００５２】
１０４は光学ファインダであり、撮影レンズ３１０に入射した光線を、一眼レフ方式によって、絞り３１２、レンズマウント３０６及び１０６、及びミラー１３０及び１３２を介して導き、光学像として結像表示する。これにより、画像表示部２８による電子ファインダ機能を使用すること無しに、光学ファインダ１０４のみを用いて撮影を行うことが可能となる。また、上述したように光学ファインダ１０４内では、表示部５４の一部が設置されており、例えば、合焦表示、手振れ警告表示、フラッシュ充電表示、シャッタースピード表示、絞り値表示、及び露出補正表示等が表示される。
【００５３】
１２０はインターフェースであり、レンズマウント１０６内において、撮像装置１００をレンズユニット３００と接続する。１２２はコネクタであり、撮像装置１００をレンズユニット３００と電気的に接続する。コネクタ１２２は、撮像装置１００とレンズユニット３００との間で制御信号、状態信号、データ信号等を伝え合うと共に、各種電圧の電流を供給する機能も備えている。また、コネクタ１２２は電気通信のみならず、光通信や音声通信等を伝達することもできる。
【００５４】
１２４はレンズ着脱検知部であり、レンズマウント１０６及びコネクタ１２２にレンズユニット３００が装着されているか否かを検知する。
【００５５】
１３０及び１３２はミラーであり、撮影レンズ３１０に入射した光線を、一眼レフ方式によって光学ファインダ１０４に導くことができる。なお、ミラー１３０は、クイックリターンミラーの構成、或いはハーフミラーの構成のどちらであっても構わない。
【００５６】
２００はメモリカードやハードディスク等の記憶媒体である。記憶媒体２００は、半導体メモリや磁気ディスク等から構成される記録部２０２、撮像装置１００とのインターフェース２０４、及び撮像装置１００と接続を行うコネクタ２０６を備えている。
【００５７】
２１０はメモリカードやハードディスク等の記憶媒体である。記憶媒体２１０は、半導体メモリや磁気ディスク等から構成される記録部２１２、撮像装置１００とのインターフェース２１４、及び撮像装置１００と接続を行うコネクタ２１６を備えている。
【００５８】
３００は交換レンズタイプのレンズユニットである。３０６はレンズマウントであり、レンズユニット３００と撮像装置１００とを機械的に結合する。また、レンズマウント３０６内には、レンズユニット３００と撮像装置１００とを電気的に接続する各種機能が含まれている。
【００５９】
３１０は撮影レンズであり、３１２は絞りである。３２０はインターフェースであり、レンズマウント３０６内において、レンズユニット３００を撮像装置１００と接続する。３２２はコネクタであり、レンズユニット３００と撮像装置１００とを電気的に接続する。
【００６０】
コネクタ３２２は、撮像装置１００とレンズユニット３００との間で制御信号、状態信号、データ信号等を伝え合うと共に、各種電圧の電流を供給される或いは供給する機能を備える。また、コネクタ３２２は、電気通信のみならず、光通信、音声通信等を伝達することもできる。
【００６１】
３４０は絞り制御部であり、測光部４６からの測光情報に基づいて、シャッター１２を制御するシャッター制御部４０と連携しながら、絞り３１２を制御する。
【００６２】
３４２は測距制御部であり、撮影レンズ３１０のフォーカシングを制御する。３４４はズーム制御部であり、撮影レンズ３１０のズーミングを制御する。
【００６３】
３５０はレンズシステム制御回路であり、レンズユニット３００全体を制御する。レンズシステム制御回路３５０は、動作用の定数、変数、プログラム等を記憶するメモリの機能も備える。また、レンズシステム制御回路３５０は、レンズユニット３００固有の番号等の識別情報、管理情報、開放絞り値や最小絞り値、焦点距離等の機能情報、及び現在や過去の各設定値等を保持する不図示の不揮発メモリの機能も備える。
【００６４】
次に、図２は、撮像装置１００内において、撮影した画像データの属性に応じて、自動で読取専用属性を付加してプロテクトをかけるか否かを設定するためのフローチャートを示す。
【００６５】
ステップＳ２０１では、操作部７０内に存在するメニュー開始スイッチがＯＮかどうか判断する。もし、メニュー開始スイッチがＯＮでなければ、ステップＳ２０３で他の制御スイッチに関する制御を行う。
【００６６】
メニュー開始スイッチがＯＮならば、ステップＳ２０２で、画像表示部２８、或いは表示部５４に図３に示すようなメニュー画面を表示する。
【００６７】
ステップＳ２０４では、メニュー移動＋（プラス）ボタンやメニュー移動−（マイナス）ボタンでメニュー項目が使用者により選択され、更に自動プロテクトする画像タイプを選択する項目が選択されたかどうか判断する。
【００６８】
ここで、自動プロテクトするということは、撮影後において、記録するための画像データを作成する際、自動で読取専用属性を付加するということである。即ち、記憶媒体に画像データを記録する（記録手段の処理に対応）際に、自動で読取専用属性を付加するということである。
或いは、記録した画像データを転送する際に、自動で読取専用属性を付加するようにしてもよい。自動で読取専用属性を付加するタイミングについては使用者が任意に設定するようにしてもよいし、予め撮像装置１００に設定しておくようにしてもよい。
【００６９】
ステップＳ２０４で当該項目が選択されていたら、ステップＳ２０６移行する。ステップＳ２０４で当該項目が選択されていなかったら、他の項目に関する制御を行うためにステップＳ２０５に移行する。
【００７０】
ステップＳ２０６では、図４に示すような読取専用属性を付加するか否かを決定する画像タイプ（属性）を選択するための画面を表示する。
【００７１】
ステップＳ２０７では、画像タイプがＪＰＥＧ Ｌａｒｇｅの場合に自動プロテクトするか否かを使用者に選択させる。もし自動プロテクトする選択がされたら、ステップＳ２０８でＪＰＥＧ Ｌａｒｇｅを撮影する際に読取専用属性を付加するモードに設定する。自動プロテクトする選択がされなかったら、ステップＳ２０９でＪＰＥＧ Ｌａｒｇｅを撮影する際に読取専用属性を付加するモードを解除する。
【００７２】
次にステップＳ２１０では、画像タイプがＪＰＥＧ Ｓｍａｌｌの場合に自動プロテクトするか否かを使用者に選択させる。もし自動プロテクトする選択がされたら、ステップＳ２１１でＪＰＥＧ Ｓｍａｌｌを撮影する際に読取専用属性を付加するモードに設定する。自動プロテクトする選択がされなかったら、ステップＳ２１２でＪＰＥＧ Ｓｍａｌｌを撮影する際に読取専用属性を付加するモードを解除する。
【００７３】
次にステップＳ２１３では、画像タイプがＲＡＷの場合に自動プロテクトするか否かを使用者に選択させる。もし自動プロテクトする選択がされたら、ステップＳ２１４でＲＡＷを撮影する際に読取専用属性を付加するモードに設定する。自動プロテクトする選択がされなかったら、ステップＳ２１５でＲＡＷを撮影する際に読取専用属性を付加するモードを解除する。
【００７４】
次にステップＳ２１６では、記録しようとしているデータが音声ファイルであった場合に自動プロテクトをするか否かを使用者に選択させる。ここでは、音声ファイルとしてＷＡＶＥ形式（ＷＡＶ）のデータを例に挙げている。そして、ＷＡＶの場合に自動プロテクトするか否かを使用者に選択させる。もし自動プロテクトする選択がされたら、ステップＳ２１７で、ＷＡＶで記録する際に読取専用属性を付加するモードに設定する。自動プロテクトする選択がされなかったら、ステップＳ２１８で、ＷＡＶで記録する際に読取専用属性を付加するモードを解除する。
【００７５】
次にステップＳ２１９では、記録する画像データが動画像データの場合に自動プロテクトするか否かを選択させる。ここでは、動画像データの画像タイプがＡＶＩの場合に自動プロテクトするか否かを使用者に選択させる。もし自動プロテクトする選択がされたら、ステップＳ２２０でＡＶＩを撮影する際に読取専用属性を付加するモードに設定する。自動プロテクトする選択がされなかったら、ステップＳ２２１でＡＶＩを撮影する際に読取専用属性を付加するモードを解除する。
【００７６】
以上の説明において、画像タイプとして、ＪＰＥＧ Ｌａｒｇｅ、ＪＰＥＧ Ｓｍａｌｌ、ＲＡＷの形式を挙げているが、例えばＪＰＥＧのサイズを２以上の複数として、それぞれに対して読取専用属性を付加するか否かを設定できるようにしてもよい。また、ＲＡＷのサイズも２以上の複数として、それぞれに対して読取専用属性を付加するか否かを設定できるようにしてもよい。また、動画画像データの形式としてＡＶＩを上げているが、他の方式であってもよい。
【００７７】
また、ステップＳ２１６では、カメラで撮影した画像データではないが、カメラで取り込んだデータとして、音声ファイルを上げた。ステップＳ２１６でも同様に、音声ファイルを作成するときに読取専用属性を付加するか否かを選択させるようにした。そして、付加する場合には、音声ファイルを作成する際に読み取り専用属性を付加するモードを設定し、自動プロテクトするモードになっていなかったら、音声ファイルを作成する際に読み取り専用属性を付加するモードを解除するようにした。以上で説明した処理は、第１の設定手段の処理に対応する。なお、この処理の後でなされる、画像データの属性に応じて読取専用属性の付加する処理は、付加手段の処理に対応する。
【００７８】
図５に撮影した画像データのデータ構造の構成を示す。撮影された画像データは画像を示すデータ５０１以外に画像情報５０２が付加された状態で１つの画像データとして作成される。画像情報５０２の中には、その画像が読取専用か否か等の属性を現す内容があり、そのデータを読取専用属性にすることにより、書き込みが不可能な画像データを作成することができる。従って、ここで述べている、読取専用属性を付加するということは、画像情報の中に画像の属性として、読取専用属性を書き込んでおくということである。
【００７９】
以上のように、本実施形態では、画像データの属性別に読取専用属性を自動で付加するか否かを決定するようにした、さらに、その画像データの属性を使用者が任意に設定できるようにした。これにより、撮影時或いは画像データ作成時に、設定された内容に応じて、それぞれの画像データに読取専用属性を付加したりしなかったりの制御を行うことができる。
したがって、使用者は、自動で読取専用属性を付加するか否かを画像データの属性別に設定することで、自身にとって取り扱いがしやすいように画像データを管理することができる。
また、使用者がした任意の設定に応じて、自動で読取専用属性が付加されるため、撮影した画像データをＰＣ上のアプリケーションで管理、確認する際に、撮影した画像データが自動で変更されてしまうような状況を、簡単な操作で回避できる。
【００８０】
（第２の実施の形態）
第２の実施の形態においては、撮像装置において撮影した画像データを外部に転送する際に自動で読取専用属性を付加する方法について述べる。撮像装置の全体構成については第１の実施の形態と同様であるため説明を省略する。
【００８１】
図６は本実施形態における処理の特徴を説明するためのフローチャートである。まず、ステップＳ６０１では、撮影されたかどうかを判断する。撮影されなかった場合は、撮影されるまで待つ。撮影されたら、ステップＳ６０２でメモリ３０上に撮影で得られたデータを保存する。
【００８２】
ステップＳ６０３では、撮影で得られたデータに圧縮や画像処理等の処理を施し、画像データを生成する。
【００８３】
ステップＳ６０４では、ステップＳ６０３で生成した画像データをインターフェース９０及び９４で接続されたメモリカード等の記憶媒体に記録する。
【００８４】
ステップＳ６０５では、画像データを転送するかどうか判断する。これは、予め使用者が、画像データを転送するかどうか設定してその内容を記憶しておく必要がある。ステップＳ６０５で転送しないと判断した場合にはステップＳ６０１に戻り、撮影されるまで待つ。
【００８５】
ステップＳ６０５で転送すると判断した場合には、ステップＳ６０６でメモリ３０に生成された画像データに読取専用属性を付加する。
【００８６】
ステップＳ６０７では、ステップＳ６０６で作成された画像データを転送専用のインターフェース９７を通して転送する。
なお、ステップＳ６０６の処理は、付加手段による処理に対応する。また、ステップＳ６０７の処理は、転送手段による処理に対応する。
【００８７】
以上のように、本実施形態では、適切なタイミングで画像データに読取専用属性を付加するようにした。即ち、撮影した画像データを転送する際に自動で読取専用属性を付加するようにした。これにより、撮像装置から画像データを転送して、ＰＣ等で画像データを管理、閲覧する際に、ＰＣのアプリケーションによって、勝手に画像データが変更される等の不具合を防ぐことができる。また、画像データの転送時に自動で読取専用属性が付加されるため、使用者は特定の操作をする必要なく、画像データの変更等の不具合に対する画像データの管理を容易に行うことができる。
【００８８】
（第３の実施の形態）
第３の実施の形態においては、撮像装置において既に記録されている画像データを外部に転送する際に自動で読取専用属性を付加する方法について述べる。撮像装置の全体構成については第１の実施の形態と同様であるため説明を省略する。
【００８９】
図７は本実施形態における処理の特徴を説明するためのフローチャートである。まず、ステップＳ７０１で記録された画像データを転送するかどうかを判断する。転送しない場合には、ステップＳ７０２で他の機能の制御を行う。
【００９０】
転送する場合には、ステップＳ７０３で、インターフェース９０及び９４に接続されたメモリカード等の記憶媒体に記録されている画像データをメモリ３０上に展開する。
【００９１】
次にステップＳ７０４で展開された画像データに読取専用属性を付加する。
【００９２】
ステップＳ７０５で、メモリ３０上で作成された画像データを転送専用のインターフェース９７を通して転送する。
なお、ステップＳ７０３、ステップＳ７０４の処理は、付加手段による処理に対応する。また、ステップＳ７０５の処理は、転送手段による処理に対応する。
【００９３】
以上のように、本実施形態では、適切なタイミングで画像データに読取専用属性を付加するようにした。即ち、記録された画像データを転送する際に自動で読取専用属性を付加するようにした。これにより、撮像装置から画像データを転送して、ＰＣ等で画像データを管理、閲覧する際に、ＰＣのアプリケーションによって、勝手に画像データが変更される等の不具合を防ぐことができる。また、画像データの転送時に自動で読取専用属性が付加されるため、使用者は特定の操作をする必要なく、画像データの変更等の不具合に対する画像データの管理を容易に行うことができる。
【００９４】
（第４の実施の形態）
第４の実施の形態においては、記録された画像データ或いは撮影した画像データを外部に転送する際に、自動で読取専用属性を付加するかどうかを使用者が選択できる方法について述べる。
【００９５】
図８は本実施形態における処理の特徴を説明するためのフローチャートである。まず、ステップＳ８０１では、操作部７０内に存在する、メニュー開始スイッチがＯＮかどうか判断する。もし、メニュー開始スイッチがＯＮでなければ、ステップＳ８０３で他の制御スイッチに関する制御を行う。
【００９６】
メニュー開始スイッチがＯＮならば、ステップＳ８０２で画像表示部２８、或いは表示部５４にメニュー画面を表示する。
【００９７】
次に、ステップ８０４で、メニュー移動＋（プラス）ボタンやメニュー移動−（マイナス）ボタンが使用者により操作されてメニュー項目が選択され、更に転送時プロテクトを選択する項目が選択されたかどうか判断する。転送時プロテクトするということは、転送するときに自動で読取専用属性を付加するということである。もし選択されていたら、ステップ８０６移行する。
【００９８】
ステップＳ８０６では、図９に示すような転送時プロテクトするか否かを選択する画面を表示する。ステップＳ８０４で選択がされていなかったら、他の項目に関する制御を行うためにステップＳ８０５に移行する。
【００９９】
ステップＳ８０６で、転送時自動プロテクトするを選択された場合は、ステップＳ８０７で転送時自動プロテクトモードを設定し、転送時に、第２又は第３の実施の形態で説明したように読取専用属性を付加して画像データを転送するようにする。ステップＳ８０６で転送時自動プロテクトしないを選択された場合は、ステップＳ８０８で転送時自動プロテクトモードを解除する。
以上で説明した処理は、第２の設定手段の処理に対応する。なお、この処理の後でなされる、設定に応じて読取専用属性の付加する処理は、付加手段の処理に対応する。
【０１００】
以上のように本実施形態では、画像データを外部に転送する際に、自動で読取専用属性を付加するか否かを使用者が選択できるようにした。これにより、撮像装置の操作性を向上させる。例えば、転送したい画像データが変更されることを避けたい場合と、そうでない場合とを使用者が任意に設定して、画像データを転送することができるため、取り扱い性に優れる。もちろん、転送時に読取専用属性を付加する設定にすれば、画像データを転送して、ＰＣ等で管理、閲覧する際に、ＰＣのアプリケーションによって、勝手に画像データが変更される等の不具合を防ぐことができる。
【０１０１】
（第５の実施の形態）
第５の実施の形態においては、撮影した画像データに対して自動で読取専用属性を付加するタイミングを、画像データを記録する際、又は外部に転送する際のいずれかで設定するかを使用者が選択できる方法について述べる。
【０１０２】
図１０は本実施形態における処理の特徴を説明するためのフローチャートである。まず、ステップＳ１００１で操作部７０内に存在する、メニュー開始スイッチがＯＮかどうか判断する。もし、メニュー開始スイッチがＯＮでなければ、ステップＳ１００３で他の制御スイッチに関する制御を行う。
【０１０３】
メニュー開始スイッチがＯＮならば、ステップＳ１００２で画像表示部２８、或いは表示部５４にメニュー画面を表示する。
【０１０４】
次にステップＳ１００４で、メニュー移動＋（プラス）ボタンやメニュー移動−（マイナス）ボタンが使用者により操作されメニュー項目が選択され、更に自動プロテクトをするタイミングを設定するための項目が選択されたかどうか判断する。もし選択されていたら、ステップＳ１００６移行する。
【０１０５】
ステップＳ１００６では、図１１に示すような自動プロテクトするタイミングを設定する画面を表示する。ステップＳ１００４で選択されていなかったら、他の項目に関する制御を行うためにステップＳ１００５に移行する。
【０１０６】
ステップＳ１００６で、画像記録時に自動プロテクトするが選択されたかどうかを判断する。ステップＳ１００６で画像記録時に自動プロテクトするを選択されていたら、ステップＳ１００７で画像記録時に自動プロテクトモードを設定する。選択されていなければ、ステップＳ１００８で画像記録時に自動プロテクトモードを解除する。
画像記録時に自動プロテクトモードが設定したときは、メモリ３０上に存在する撮影された画像データに読取専用属性を付加して、インターフェース９０又は９４で接続されているメモリカード等に読取専用属性が付加された画像データを記録することになる。
【０１０７】
次にステップＳ１００９で画像転送時自動プロテクトするが選択されてたかどうかを判断する。ステップＳ１００９で画像転送時自動プロテクトするが選択されていたら、ステップＳ１０１０で画像転送時自動プロテクトモードを設定する。選択されていなければ、ステップＳ１０１１で画像転送時自動プロテクトモードを解除する。
転送時自動プロテクトモードが設定したときは、記録された画像データをメモリ３０上に展開してから、その画像データに読取専用属性を付加して、転送専用のインターフェース９７を使用して、画像データを転送することになる。
以上で説明した処理は、第３の設定手段及び第４の設定手段の処理に対応する。なお、この処理の後でなされる、設定に応じて読取専用属性の付加する処理は、付加手段の処理に対応する。
【０１０８】
以上のように、本実施形態では、画像データに対して自動で読取専用属性を付加するタイミングを、画像を記録する際と、画像データを転送する際とで別に設定できるようにした。これにより、撮像装置の操作性を向上させる。例えば、転送したい画像データが変更されることを避けたいが、撮像装置で記録しておく場合はすぐに削除できるようにしておきたい等を使用者が任意に決定し設定することができるため、取り扱い性に優れる。もちろん、読取専用属性を付加する設定にすれば、画像データを転送して、ＰＣ等で管理、閲覧する際に、ＰＣのアプリケーションによって、勝手に画像データが変更される等の不具合を防ぐことができる。
【０１０９】
なお、上述した図２及び図６、図７、図８、図１０のフローチャートに従ったプログラムは、例えばメモリ５２に格納されており、システム制御回路５０に読み出されて実行されることで、本実施形態で説明した制御処理が実現される。
【０１１０】
なお、第１〜第５の実施形態で説明した制御処理を組み合わせて実現することができる画像処理装置を構成してもよい。例えば、第１の実施の形態と第２の実施の形態を組み合わせることで、画像データの属性に応じて、画像データを転送する際に自動で読取専用属性を付加するようにすることもできる。この場合、使用者は読取専用属性を付加して転送したいデータとそうでないものを分けて転送することができ、操作性を向上させることができる。
【０１１１】
また、本発明は、上述した実施形態の装置に限定されず、複数の機器から構成されるシステムに適用しても、１つの機器から成る装置に適用してもよい。
【０１１２】
なお、本発明は、上述した実施形態の機能を実現するソフトウェアのプログラムコードを記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【０１１３】
この場合、記憶媒体から読み出されたプログラムコード自体が上述した実施形態の機能を実現することになり、プログラムコード自体及びそのプログラムコードを記憶した記憶媒体は本発明を構成することになる。
【０１１４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１５】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【０１１６】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【０１１７】
【図１】本発明の実施の形態に係る撮像装置の全体構成を示す図である。
【図２】本発明の第１の実施の形態に係る撮像装置において、画像データの属性に応じて読取専用属性をするか否かを設定するための処理を説明するフローチャートである。
【図３】本発明の第１の実施の形態に係る撮像装置において表示する、画像データの属性に応じて読取専用属性をするか否かを設定するための設定画面の一例を示す図である。
【図４】本発明の第１の実施の形態に係る撮像装置において表示する、画像データの属性に応じて読取専用属性をするか否かを設定するための設定画面の一例を示す図である。
【図５】本発明の実施の形態に係る撮像装置において処理する画像データの構成を示す図である。
【図６】本発明の第２の実施の形態に係る撮像装置において、画像データを転送する際に自動で読取専用属性をする処理を説明するフローチャートである。
【図７】本発明の第３の実施の形態に係る撮像装置において、既に記録された画像データを転送する際に自動で読取専用属性をする処理を説明するフローチャートである。
【図８】本発明の第４の実施の形態に係る撮像装置において、画像データを転送する際に自動で読取専用属性を付加するか否かを設定するための処理を説明するフローチャートである。
【図９】本発明の第４の実施の形態に係る撮像装置において表示する、画像データを転送する際に自動で読取専用属性を付加するか否かを設定するための設定画面の一例を示す図である。
【図１０】本発明の第５の実施の形態に係る撮像装置において、画像データを転送する際又は画像データを記録する際のいずれかで自動で読取専用属性を付加するか否かを設定するための処理を説明するフローチャートである。
【図１１】本発明の第５の実施の形態に係る撮像装置において表示する、画像データを転送する際又は画像データを記録する際のいずれかで自動で読取専用属性を付加するか否かを設定するための表示画面の一例を示す図である。
【符号の説明】
【０１１８】
１４  撮像素子
２０  画像処理回路
２２  メモリ制御回路
２４  画像表示メモリ
２８  画像表示部
３０  メモリ
５０  システム制御回路
５４  表示部
７０  操作部
９０、９４、９７  インターフェース
１００  撮像装置
２００  記憶媒体
２１０  記憶媒体
３００  レンズユニット
【図１】
2008193259.tif 000003
【図２】
2008193259.tif 000004
【図３】
2008193259.tif 000005
【図４】
2008193259.tif 000006
【図５】
2008193259.tif 000007
【図６】
2008193259.tif 000008
【図７】
2008193259.tif 000009
【図８】
2008193259.tif 000010
【図９】
2008193259.tif 000011
【図１０】
2008193259.tif 000012
【図１１】
2008193259.tif 000013